(57)【要約】【課題】  ガラスの飛散防止あるいは遮光作用といった作用に加えて、優れた装飾機能を備え、各種用途に利用可能な装飾フィルムを提供する。【解決手段】  剥離フィルム１２の一方の面に、接着剤層１４を介して透明な樹脂からなるフィルム本体１６が粘着されて形成された透光性を有する装飾フィルムの製造方法であって、前記剥離フィルム１２の一方の面に、外面に下地印刷１７が施されたフィルム本体１６が接着剤層１４を介して積層されたフィルム体１１と、昇華インクを用いて図形が印刷された転写紙３０とを、前記フィルム本体１６を転写紙３０側に対向させて配置し、前記フィルム体１１と前記転写紙３０とを所定時間加圧および加熱して保持することにより、前記転写紙３０から前記フィルム体１１のフィルム本体１６に前記図形を昇華転写することを特徴とする。【選択図】          図２
2006218813.tif 000002
【特許請求の範囲】
【請求項１】
透明なフィルム本体に絵柄、文字等の図形が表示された透光性の装飾フィルムであって、
前記フィルム本体の少なくとも一方の面に前記図形の背景となる印刷部が設けられ、
前記フィルム本体に、昇華印刷により転写紙から図形が転写されて形成された昇華印刷部が設けられていることを特徴とする装飾フィルム。
【請求項２】
前記装飾フィルムが、剥離フィルムの一方の面に接着剤層を介して透明なフィルム本体が粘着されて形成され、
前記フィルム本体の外面に前記印刷部が設けられ、
前記フィルム本体に、前記フィルム本体の前記印刷部が設けられた面側から、昇華印刷により転写紙から図形が転写されて形成された昇華印刷部が設けられていることを特徴とする請求項１記載の装飾フィルム。
【請求項３】
前記フィルム本体の表面に設けられた印刷部が、前記昇華印刷により転写紙から前記フィルム本体に図形を転写する際の加熱処理によって変質しない耐熱性を備える印刷によって設けられていることを特徴とする請求項１または２記載の装飾フィルム。
【請求項４】
前記印刷部が、グラビア印刷によって設けられたものであることを特徴とする請求項３記載の装飾フィルム。
【請求項５】
透明なフィルム本体に絵柄、文字等の図形が表示された透光性の装飾フィルムであって、
前記フィルム本体の少なくとも一方の面が、すりガラス状の外観となる凹凸面に形成され、
前記フィルム本体に、昇華印刷により転写紙から図形が転写されて形成された昇華印刷部が設けられていることを特徴とする装飾フィルム。
【請求項６】
前記装飾フィルムが、剥離フィルムの一方の面に接着剤層を介して透明なフィルム本体が粘着されて形成され、
前記フィルム本体の外面がすりガラス状の外観となる凹凸面に形成され、
前記フィルム本体に、前記凹凸面に形成された面側から、昇華印刷により転写紙から図形が転写されて形成された昇華印刷部が設けられていることを特徴とする請求項５記載の装飾フィルム。
【請求項７】
剥離フィルムの一方の面に、接着剤層を介して透明なフィルム本体が粘着されて形成された透光性を有する装飾フィルムの製造方法であって、
前記剥離フィルムの一方の面に、外面に下地印刷が施されたフィルム本体が接着剤層を介して積層されたフィルム体と、
昇華インクを用いて図形が印刷された転写紙とを、前記フィルム本体を転写紙側に対向させて配置し、
前記フィルム体と前記転写紙とを所定時間加圧および加熱して保持することにより、前記転写紙から前記フィルム体のフィルム本体に前記図形を昇華転写することを特徴とする装飾フィルムの製造方法。
【請求項８】
剥離フィルムの一方の面に、接着剤層を介して透明なフィルム本体が粘着されて形成された透光性を有する装飾フィルムの製造方法であって、
前記剥離フィルムの一方の面に、外面がすりガラス状に凹凸形成されたフィルム本体が接着剤層を介して積層されたフィルム体と、
昇華インクを用いて図形が印刷された転写紙とを、前記フィルム本体を転写紙側に対向させて配置し、
前記フィルム体と前記転写紙とを所定時間加圧および加熱して保持することにより、前記転写紙から前記フィルム体のフィルム本体に前記図形を昇華転写することを特徴とする装飾フィルムの製造方法。
【発明の詳細な説明】
【技術分野】
【０００１】
本発明は装飾フィルムおよび装飾フィルムの製造方法に関し、より詳細には、ガラス窓等に貼り付けてガラスの飛散防止、遮光目的に使用される他、透光性パーティション、ウィンド用ステッカー、照明器具の透光性ケーシング等に利用して効果的な装飾作用を得ることができる装飾フィルムおよびその好適な製造方法に関する。
【背景技術】
【０００２】
ガラスの飛散防止フィルムは、ガラスが割れた際にガラス片が飛散したり、落下したりすることを防止する目的で使用されるもので、ガラス窓等のガラス表面に貼付して使用される。飛散防止フィルムには従来、種々の商品が提供されており、単なる飛散防止機能を備えた商品の他に、室内に侵入する外光を遮蔽して日射量を調整するもの、紫外線光をカットする作用を有するもの、外部からの視野を遮って目隠し作用を有するもの、外部への光反射を防止するための反射防止機能を備えたもの等がある。
【特許文献１】特開２０００−７９６６０号公報
【特許文献１】特開平１０−１２８８９９号公報
【発明の開示】
【発明が解決しようとする課題】
【０００３】
従来のガラスの飛散防止フィルムは、上述したように、ガラスの飛散防止、遮光、反射防止、目隠し作用といった機能面を重視したものであり、目隠し作用として、フィルムの表面に金属を蒸着してミラー状に形成した製品、フィルムの表面にすりガラス状の印刷を施した製品、千鳥や和紙様の模様を印刷した製品等が提供されているが、フィルム自体の装飾性については必ずしも満足できるものではない。
【０００４】
もちろん、従来のスクリーン印刷、インクジェットによる吹き付け印刷、グラビア印刷等の印刷技術を用いて、飛散防止フィルムに種々の図形を印刷し、単にすりガラス状やミラー面状に形成された飛散防止フィルムに装飾性を付与することは可能である。しかしながら、従来の印刷方法による場合は、フィルムの表面を清掃するために拭いたりすると、フィルム面に印刷されているインクが剥離してしまったりするから、印刷面に透明なラミネートフィルムを貼り付けて印刷部を保護するといったことを行う必要がある。
【０００５】
また、従来方法でフィルムに印刷を施した場合は、フィルムの印刷面側からは印刷部を普通に視認することができても、フィルムの印刷面とは反対側（裏面側）からフィルムを透視すると、印刷部の色がくすんで見えてしまい、たとえばグラビア印刷でカラー印刷を施したような場合では、鮮やかさが損なわれてしまう。このように、フィルムの印刷部を両面から見た際に視認性が異なることは、ガラスの飛散防止フィルムのような透過光を利用して図形を視認するタイプのフィルムの場合には、フィルムの品質上好ましくなく、室内用のガラスパーティションに使用するといった場合には見栄えが劣ってしまうという問題がある。
【０００６】
そこで、本発明はこれらの課題を解決すべくなされたものであり、その目的とするところは、ガラスの飛散防止フィルムのようにガラス窓等の透光性の部材の表面に適用するフィルムであって、ガラスの飛散防止あるいは遮光作用といった従来の飛散防止フィルムが備える作用に加えて、優れた装飾機能を備えることによって建築用品以外に種々の用途への利用が可能な装飾フィルムおよびその好適な製造方法を提供するにある。
【課題を解決するための手段】
【０００７】
本発明は、上記目的を達成するため次の構成を備える。
すなわち、透明なフィルム本体に絵柄、文字等の図形が表示された透光性の装飾フィルムであって、前記フィルム本体の少なくとも一方の面に前記図形の背景となる印刷部が設けられ、前記フィルム本体に、昇華印刷により転写紙から図形が転写されて形成された昇華印刷部が設けられていることを特徴とする。
また、前記装飾フィルムが、剥離フィルムの一方の面に接着剤層を介して透明なフィルム本体が粘着されて形成され、前記フィルム本体の外面に前記印刷部が設けられ、前記フィルム本体に、前記フィルム本体の前記印刷部が設けられた面側から、昇華印刷により転写紙から図形が転写されて形成された昇華印刷部が設けられていることにより、ガラス窓や透光性パーティションに貼り付けて、ガラス片の飛散防止およびの飛散防止、室内デザイン用に好適に使用することができる。
【０００８】
また、前記フィルム本体の表面に設けられた印刷部が、前記昇華印刷により転写紙から前記フィルム本体に図形を転写する際の加熱処理によって変質しない耐熱性を備える印刷によって設けられていることにより、昇華印刷方法を適用して容易にかつ確実にフィルム本体に図形を昇華転写することができる。また、前記印刷部は、グラビア印刷によって簡単に設けることができる。
【０００９】
また、透明なフィルム本体に絵柄、文字等の図形が表示された透光性の装飾フィルムであって、前記フィルム本体の少なくとも一方の面が、すりガラス状の外観となる凹凸面に形成され、前記フィルム本体に、昇華印刷により転写紙から図形が転写されて形成された昇華印刷部が設けられていることを特徴とする。
また、前記装飾フィルムが、剥離フィルムの一方の面に接着剤層を介して透明なフィルム本体が粘着されて形成され、前記フィルム本体の外面がすりガラス状の外観となる凹凸面に形成され、前記フィルム本体に、前記凹凸面に形成された面側から、昇華印刷により転写紙から図形が転写されて形成された昇華印刷部が設けられていることを特徴とする。
【００１０】
また、剥離フィルムの一方の面に、接着剤層を介して透明なフィルム本体が粘着されて形成された透光性を有する装飾フィルムの製造方法であって、前記剥離フィルムの一方の面に、外面に下地印刷が施されたフィルム本体が接着剤層を介して積層されたフィルム体と、昇華インクを用いて図形が印刷された転写紙とを、前記フィルム本体を転写紙側に対向させて配置し、前記フィルム体と前記転写紙とを所定時間加圧および加熱して保持することにより、前記転写紙から前記フィルム体のフィルム本体に前記図形を昇華転写することを特徴とする。
また、剥離フィルムの一方の面に、接着剤層を介して透明なフィルム本体が粘着されて形成された透光性を有する装飾フィルムの製造方法であって、前記剥離フィルムの一方の面に、外面がすりガラス状に凹凸形成されたフィルム本体が接着剤層を介して積層されたフィルム体と、昇華インクを用いて図形が印刷された転写紙とを、前記フィルム本体を転写紙側に対向させて配置し、前記フィルム体と前記転写紙とを所定時間加圧および加熱して保持することにより、前記転写紙から前記フィルム体のフィルム本体に前記図形を昇華転写することを特徴とする。
【発明の効果】
【００１１】
本発明に係る装飾フィルムは、昇華転写を利用してフィルム本体に図形等を転写（印刷）して形成され、フィルム本体には下地印刷を施しあるいはすりガラス状とする凹凸処理を施すことにより、フィルム面の両面から同等な視認性をもって印刷図形を視認することができる商品として提供される。本製品は、ガラスの飛散防止フィルムとしてはもちろんのこと、室内パーティションの装飾用フィルム、ウィンド用ステッカー、照明用品等の装飾用として好適に利用することができる。また、本発明に係る製造方法により、前記装飾フィルムを容易に製造することができ、種々の商品バリエーションに対応することが可能になる。
【発明を実施するための最良の形態】
【００１２】
以下、本発明の好適な実施の形態を添付図面に基づいて詳細に説明する。
（第１の実施の形態）
図１(a)は、本発明に係る装飾フィルム１０の一実施形態の構成を示す断面図、図１(b)は、装飾フィルム１０をガラス板２０に貼り付けた状態を示す断面図である。
図１(a)に示すように、本実施形態の装飾フィルム１０は、剥離フィルム１２の一方の面に接着剤層１４を介して透明な樹脂からなるフィルム本体１６が粘着され、フィルム本体１６の外面に１次加工としてグラビア印刷が施され、フィルム本体１６に２次加工として昇華印刷が施されて提供されたものである。
【００１３】
フィルム本体１６の外面にはグラビア印刷が施され、フィルム本体１６には昇華転写によって形成された昇華印刷部１８が形成されている。１７はグラビア印刷による印刷部である。
グラビア印刷による印刷部１７がフィルム本体１６の表面に露出して形成されているのに対して、昇華転写によって形成された昇華印刷部１８は、フィルム本体１６の内部に昇華インクが染み込むようにして形成されている。
【００１４】
この装飾フィルム１０をガラス板２０に貼り付ける場合は、図１(b)に示すように、フィルム本体１６から剥離フィルム１２を剥離し、接着剤層１４によってフィルム本体１６をガラス板２０に貼り付けるようにすればよい。フィルム本体１６をガラス板２０に貼り付ける方法は、従来のガラス板に飛散防止フィルムを貼り付ける操作とまったく同様である。なお、接着剤層１４に紫外線カット剤を混入させることにより、装飾フィルム１０に紫外線カット作用をもたせることもできる。
【００１５】
本実施形態の装飾フィルム１０をガラス板２０に貼り付けて装飾フィルム１０を視認すると、外観的には、グラビア印刷による印刷部１７の下地に昇華印刷部１８が重ね合わされた状態で視認される。いいかえれば、昇華印刷部１８がグラビア印刷による印刷部１７を背景として視認される。たとえば、グラビア印刷によって白色の千鳥格子を印刷し、昇華印刷によって花を印刷した場合には、白色の千鳥格子の背景に花が表示されたように視認される。
【００１６】
本実施形態の装飾フィルム１０では、フィルム本体１６に昇華インクが染み込むように図形が印刷（転写）されているから、ガラス板２０が配置されていない側から装飾フィルム１０を視認した場合と、ガラス板２０を通して装飾フィルム１０を視認した場合とで、印刷部分の視認状態がほとんど変わらない。とくに装飾フィルム１０を透過する透過光を通して装飾フィルム１０を視認した場合には、印刷部分、とくに昇華印刷部１８がきわめて鮮やかに視認されるという特徴がある。これは昇華印刷部１８を光が透過するようにして視認されるためである。
【００１７】
なお、フィルム本体１６の表面にグラビア印刷を施している理由は、昇華印刷部１８の図形が明瞭に表示されるようにするためである。すなわち、完全に透明なフィルムに昇華転写を利用して図形等を印刷（転写）しても、図形部分と地色部分とのコントラストが明確に表れないため、図形がきれいに表示されない。フィルム本体１６の表面には表示する図形色とのかねあいで、図形を明確に表示させることができる薄い地色（たとえば、白色）を印刷しておくのがよい。
【００１８】
図２は上記装飾フィルム１０を製造する方法を示す。昇華印刷方法では、昇華インクを使用して、フィルム本体１６に転写しようとする図形、絵柄、文字等を印刷した転写紙３０を用意し、転写紙３０を加熱および加圧して転写紙３０からフィルム本体１６に図形、絵柄、文字等を転写する。
【００１９】
昇華転写で使用する昇華インクは、加熱した際に気化して転写紙３０からフィルム本体１６の分子構造に入り込み、染色するようにして転写される特性を有するインクであり、種々の昇華インクが提案されている（たとえば、特開2000−351924号公報等）。転写紙３０に図形、絵柄、文字等を印刷する方法としては、インクジェットプリンタを使用する方法が簡便である。インクジェットプリンタを使用すれば、昇華インクを使用して、簡単に任意の図形、絵柄、文字を印刷することができ、カラー印刷も容易である。なお、転写紙３０に文字を印刷する場合には、フィルム本体１６に文字を転写した際に逆文字になることを考慮しておく必要がある。
【００２０】
転写紙３０は１枚ごとに印刷したものであっても良いし、長尺の転写紙に印刷する方法であってもよい。１枚ごとに印刷する場合は、大判の転写紙３０を用意し、フィルム本体１６も大判のものを使用するのが効率的である。長尺の転写紙３０を使用する場合は、ロール状の加圧体を使用して連続的に転写する方法が効率的である。
【００２１】
図２(a)は、加熱したベース板４０に剥離フィルム１２と接着剤層１４とフィルム本体１６とからなる被転写体であるフィルム体１１を配置し、フィルム体１１に所要の図形、絵柄、文字等を昇華印刷した転写紙３０を位置合わせしてセットした状態を示す。なお、フィルム体１１の表面にはあらかじめグラビア印刷が施されている。フィルム体１１はグラビア印刷の印刷面（印刷部１７が付着した面）を転写紙３０に向けてベース板４０に配置する。
【００２２】
図２(b)は、ベース板４０と加圧板４２とでフィルム体１１を加圧し、転写紙３０からフィルム体１１に図形、絵柄、文字等を転写している状態を示す。転写紙３０に印刷された昇華インクはフィルム本体１６内に染み込むようにしてフィルム本体１６に転写される。なお、本実施形態では、ベース板４０の加熱温度を２００℃とし、約６０秒間加圧してフィルム本体１６に転写した。フィルム本体１６は厚さ８０μｍのＰＥＴフィルムからなるものである。
この昇華転写操作では、フィルム本体１６の表面に施されたグラビア印刷による印刷部１７とは無関係に、転写紙３０からフィルム本体１６に転写される。
こうして、図１(a)に示す装飾フィルム１０が得られる。
【００２３】
図３は、上述した方法によって得られた装飾フィルムの例を示す。この装飾フィルムは、ＰＥＴからなるフィルム本体１６の表面にグラビア印刷によって乳白色の無地の下地色を印刷した後、昇華インクを用いて図形を印刷した転写紙３０からフィルム体に図形を転写して形成したものである。
この装飾フィルムの場合は、乳白色の下地色を印刷したことによって、図形が背景内で浮き上がるように視認され、下地色によって目隠しの作用がなされるとともに、図形が明瞭に視認されるようになる。
乳白色の下地がフィルム本体１６の表面に被着されているのに対して、図形部分はフィルム本体１６の内部に染み込むように転写されたことによって、装飾フィルムのどちらの面から見ても、図形が鮮明に視認されることが特徴的である。下地部分を和紙様に印刷することで、装飾フィルムの趣を変えることができ、図形部分をカラーにすることによって、さらに装飾性を増すことができる。
【００２４】
なお、本実施形態においては図２(b)に示すように、加熱したベース板４０と加圧板４２とを用いて、転写紙３０を介してフィルム体１１を加熱・加圧してフィルム本体１６に昇華転写している。このように昇華転写の際にはフィルム体１１を加熱して行うから、フィルム本体１６にあらかじめグラビア印刷する場合には、この昇華転写処理の熱によって印刷部１７が変質しないようにする必要がある。グラビア印刷で使用する印刷インクが溶剤を含んでいるような場合には、昇華転写の際に印刷部１７が加熱されて変質し、印刷部１７の印刷状態が変わってしまうことがある。したがって、フィルム本体１６の表面に１次加工として下地印刷を施す場合は、昇華転写操作の際における加熱に耐えられる印刷を施す必要がある。また、フィルム本体１６の表面に設けられた印刷部１７は、フィルム面上で露出する状態になるから一定の耐久性を備えているものである必要がある。
【００２５】
従来使用されているガラスの飛散防止フィルムには、すりガラス状、あるいは和紙様にフィルム本体１６の表面に印刷が施されて提供される製品がある。これらの製品は、所要の遮光性を備えているとともに、清掃時にフィルム表面を拭き取るような操作にも十分に耐えられる耐久性を備えている。したがって、これらの処理（印刷）が施されたフィルムを利用し、これらのフィルムに昇華転写を施すことによって簡単に上述した装飾フィルムを製造することができる。
もちろん、フィルム本体１６に施す表面下地印刷としては、昇華転写操作に対する耐熱性（２００℃程度の耐熱性）および耐久性を備えるものであれば、印刷方法を問うものではない。
【００２６】
また、上記実施形態における装飾フィルム１０は、剥離フィルム１２の一方の面に接着剤層１２を介してフィルム本体１６を粘着した構成とし、ガラス窓等に接着してガラス片の飛散防止用等として簡単に使用できるように構成したものであるが、本発明に係る装飾フィルム１０は、接着剤層１２を備えずに、単にフィルム本体１６の表面に図形の背景となる印刷部が設けられ、フィルム本体１６に図形が昇華印刷されたものであってもよい。この装飾フィルムによれば、透明ガラスによって挟むようにして配置したり、粘着材や粘着テープを利用して適宜接着して使用するといった利用が可能である。
【００２７】
（第２の実施の形態）
上記第１の実施の形態では、フィルム本体１６に施す第１次加工として、グラビア印刷によって下地印刷を施したフィルムを使用した例について説明したが、飛散防止フィルムとしては、目隠し作用として、グラビア印刷のかわりにフィルム本体１６の表面を凹凸状に型押しし、フィルム本体１６の表面に細かい凹凸を形成することによってすりガラス状とした製品も提供されている。
このようなフィルムを使用する場合も、図４に示すように、２次加工として、昇華インクを用いて図形等を印刷した転写紙３０をフィルム本体１６の表面に加圧・加熱し、フィルム本体１６に図形を昇華転写することによって装飾フィルム１０とすることができる。図では、転写紙３０の昇華インクによる印刷点３０ａが昇華転写によって、フィルム本体１６内に転写点１８ａとして転写されることを説明的に示している。
【００２８】
本実施形態の装飾フィルムは、フィルム本体１６の表面が小さな凹凸面に形成されることによってすりガラス状に加工され、転写紙３０からフィルム本体１６に図形が昇華転写されることによって、薄い白色を背景色として図形が透視される装飾フィルムとして得られる。フィルムの表面を凹凸面としてすりガラス状としているために、グラビア印刷等によって背景色（下地色）を印刷した場合にくらべて昇華印刷による図形の明瞭度は若干低下するが、用途によっては十分利用することができる。
【００２９】
前述したように、ガラスの飛散防止に使用するフィルムは、所定の透光性（遮光性）を備えるように設けられるから、フィルム本体１６に昇華印刷を施して、図形を表示した装飾フィルムは、どちらの面側から見ても、同等に、かつ鮮やかに図形を視認することができ、装飾性を備えガラスのた飛散防止フィルムあるいは、飛散防止以外の用途に利用できる装飾フィルムとして提供することができる。
【００３０】
また、フィルム本体１６に昇華転写された図形、絵柄、文字等は、たとえば装飾フィルムをガラスの飛散防止用としてガラス板に貼り付けて、拭き掃除を行っても剥がれ落ちたりすることがなく、装飾用としてフィルムに印刷された図形、絵柄をそのままの状態で保持することができる。
また、昇華印刷法によってフィルム本体１６に、図形、絵柄、文字等を転写したことにより、印刷部が剥がれたりすることを防止する目的でフィルムの表面に透明フィルムをラミネートするといった操作が不要となり、製造工程を簡素化することができる。
【００３１】
また、昇華印刷方法によって図形等を昇華転写する方法は、適宜転写紙に図形を印刷して転写すればよいから、要望に応じて任意の図形を印刷することができ、あらゆるバリエーションに対応することができる。
また、装飾フィルムは適宜剥がして交換することが可能であり、季節に応じて装飾フィルムを交換して使用するといったことも容易に可能になる。
【００３２】
また、本発明に係る装飾フィルムは、ガラスの飛散防止用として窓ガラスや室内のガラスパーティションに貼り付けて使用する他、透光性の部材の表面に貼り付けて使用することが容易に可能である。照明器具のケーシングとして使用されている透光性部材の表面に貼り付けることによって、趣の変わった照明器具として提供することも可能である。
このように、本発明に係る装飾フィルムは透光性の部材の表面に貼り付けることによって、その装飾性を効果的に発揮することができ、従来にない照明器具等として利用するといった種々の用途への利用が可能である。
【図面の簡単な説明】
【００３３】
【図１】本発明に係る装飾フィルムの断面構造(a)、および装飾フィルムをガラス板に貼り付けた状態の断面図(b)である。
【図２】本発明に係る装飾フィルムの製造方法を示す説明図である。
【図３】本発明方法によって形成した装飾フィルムの平面図である。
【図４】本発明に係る装飾フィルムの他の製造方法を示す説明図である。
【符号の説明】
【００３４】
１０  装飾フィルム
１１  フィルム体
１２  剥離フィルム
１４  接着剤層
１６  フィルム本体
１７  印刷インク
１８  昇華印刷部
１８ａ  転写点
２０    ラス板
３０  転写紙
３０ａ  印刷点
４０  ベース板
４２  加圧板
【図１】
2006218813.tif 000003
【図２】
2006218813.tif 000004
【図４】
2006218813.tif 000005
【図３】
2006218813.tif 000006